(57)【要約】【課題】  万が一釣り竿を過って水面に落下させた場合であっても、釣り竿に浮力を与えることが可能な浮袋等を予め釣り竿に装着することなく、釣りそのものの竿さばき等の動作やリール巻き上げ動作等に支障をきたすことになく、釣り竿に浮力を与えることができる釣り竿等装着具を提供するものである。【解決手段】  釣り竿等装着具１が、竿さばき等の釣り動作に支障をきたさない大きさの外観形状を有し、且つ各種の釣り竿５等に装着脱可能で、且つ該釣り竿５等が水没した際に釣り竿５等に浮力を与える浮力手段を具備してなることを特徴とする。【選択図】図１
2014090714.tif 000002
【特許請求の範囲】
【請求項１】
竿さばき等の釣り動作に支障をきたさない大きさの外観形状を有し、且つ各種の釣り竿等に装着脱可能で、且つ該釣り竿等が水没した際に該釣り竿等に浮力を与える浮力手段を具備してなることを特徴とする釣り竿等装着具。
【請求項２】
前記浮力手段が、釣り竿等が水没した際又は所定の範囲で釣り竿等が手を離れた際に該釣り竿等に瞬間的な浮力を与える構造を有してなることを特徴とする請求項１記載の釣り竿等装着具。
【請求項３】
前記浮力手段が、所定の大きさに膨らむ袋体と、該袋体に気体を充填する充填機構とから構成されてなることを特徴とする請求項１又は２記載の釣り竿等装着具。
【請求項４】
前記釣り竿等装着具には、釣り竿本体又は該釣り竿本体に取り付けられたリール等に釣り竿等装着具を装着脱させるための着脱部位が、直接又は別体で設けられてなることを特徴とする請求項１乃至３の何れかに記載の釣り竿等装着具。
【請求項５】
前記請求項１乃至４の何れかに記載の釣り竿等装着具を備えたことを特徴とする各種の釣り竿。
【請求項６】
前記請求項１乃至４の何れかに記載の釣り竿等装着具を備えたことを特徴とする各種のリール。
【発明の詳細な説明】
【技術分野】
【０００１】  本発明は、釣り竿装着具及び該釣り竿装着具を備えた釣り竿に関し、更に詳しくは、釣りの際に、各種の釣り竿に装着脱可能で、しかも釣りの際に過って釣り竿を水面に落下させた場合であっても、瞬時に各種釣り竿に浮力を与えて釣り竿の水没を確実に阻止することができる極めて優れた釣り竿装着具及び該釣り竿装着具を備えた釣り竿に関するものである。
【背景技術】
【０００２】  従来、上記の如く、釣り竿に浮力を与えるものとしては、例えば、登録実用新案第３１４２１５８号公報所載のものがある。【０００３】  かかる考案は、スプールを回転させる電動リール付き釣り竿に関し、該釣り竿の把持部に電動モータの出力軸が摺接するスプールのフランジ側面を粗面化加工面を設けると共に、該把持部を桐で形成しつつ、該釣り竿全体の比重を１以下とすることで、釣り竿を水に浮くようにしたものである。
【先行技術文献】
【特許文献】
【０００４】
【特許文献】登録実用新案第３１４２１５８号公報
【発明の概要】
【発明が解決しようとする課題】
【０００５】  しかしながら、上記構成からなる釣り竿は、あくまでワカサギ釣り等の小魚釣りに使用することを目的に考案されたものであり、把持部を桐で形成しつつ、釣り竿全体の比重を１以下とすることで、釣り竿を水に浮くようにしたものであることから、一般的に言う大物の魚や強い引張力を有する魚には構造上不向きである。【０００６】  即ち、上記の如くワカサギ釣り等の小魚釣りに使用することを目的にした場合には、釣り竿全体の比重を１以下とすることは可能ではあるが、如何せん、例えば大物の魚や強い引張力を有する魚には、それなりの強度を備えた太い釣り糸を巻き上げるスプールを備えたリール（手動や電動）を釣り竿に装着する必要があり、よって必然的に釣り竿自体やリール自体の強度を一定以上保持する必要性と、巻き上げ時の手の滑り等も考慮して釣り竿の把持部も太くする等の必要性とから、結果として釣り竿自体やリール自体が大きく重いものとなり、結果として釣り竿全体の比重を１以下にすることは不可能であるという問題が生じていた。【０００７】  又、例えば、万が一釣り竿を過って水面に落下させた場合であっても、釣り竿に浮力を与えることが可能な浮袋等を予め釣り竿に装着しておいて釣りをするという考えもあるが、如何せん、この場合には、釣りそのものの竿さばき等の動作やリール巻き上げ動作等に支障をきたすことになり、何れにしても現実的な対処の仕方とも言えず、何らかの解決策が望まれていた。
【課題を解決するための手段】
【０００８】  然して、本発明は、上記課題を解決するものであり、請求項１記載の釣り竿等装着具は、竿さばき等の釣り動作に支障をきたさない大きさの外観形状を有し、且つ各種の釣り竿等に装着脱可能で、且つ該釣り竿等が水没した際に該釣り竿等に浮力を与える浮力手段を具備した点にある。【０００９】  請求項２記載の釣り竿等装着具の浮力手段が、釣り竿等が水没した際又は所定の範囲で釣り竿等が手を離れた際に該釣り竿等に瞬間的な浮力を与える構造を有した点にある。【００１０】  請求項３記載の釣り竿等装着具の浮力手段が、所定の大きさに膨らむ袋体と、該袋体に気体を充填する充填機構とから構成された点にある。【００１１】  請求項４記載の釣り竿等装着具には、釣り竿本体又は該釣り竿本体に取り付けられたリール等に釣り竿等装着具を装着脱させるための着脱部位が、直接又は別体で設けられた点にある。【００１２】  請求項５記載において、釣り竿が、前記請求項１乃至４の何れかに記載の釣り竿等装着具を備えた点にある。【００１３】  請求項６記載において、リールが、前記請求項１乃至４の何れかに記載の釣り竿等装着具を備えた点にある。
【発明の効果】
【００１４】  請求項１記載の発明における釣り竿等装着具によれば、竿さばき等の釣り動作に支障をきたさない大きさの外観形状を有し、且つ各種の釣り竿等に装着脱可能で、且つ該釣り竿等が水没した際に釣り竿等に浮力を与える浮力手段を具備してなることから、例えば、一般的に大物と言われる大型の魚や強い引張力を有する魚を対象に釣りを行う場合等において、一定以上の強度を備えた太い釣り糸を巻き上げるスプールを備えたリールを釣り竿に装着する際、釣り竿自体やリール自体の強度を一定以上保持する必要性や、巻き上げ時の手の滑り等も考慮して釣り竿の把持部も太くする等の必要性から、釣り竿自体やリール自体が大きく重いものとなり、結果として釣り竿自体やリール自体の各単体の比重のみならず、リールを備えた釣り竿全体の比重が１以上となって浮力を全く有さない場合であっても、竿さばき等の釣り動作やリール巻き上げ動作等に全く支障をきたすことなく、釣りをする対象の魚の大きさ等の種類に応じての各種のリール等や各種の釣り竿等に簡単且つ確実に装着脱可能であるばかりか、釣りの際に過って各種のリール等や各種の釣り竿等を水面に落下させた場合であっても、各種のリール等や各種の釣り竿等に浮力を与えて釣り竿等の水没を確実に阻止することができるという格別な効果を奏する。【００１５】  請求項２記載の釣り竿等装着具の浮力手段が、釣り竿等が水没した際又は所定の範囲で釣り竿等が手を離れた際に該釣り竿等に瞬間的な浮力を与える構造を有してなることから、雨や雪等の悪天候時であっても、晴天や曇り等の所謂釣り日和と同様に、竿さばき等の釣り動作やリール巻き上げ動作等に全く支障をきたすことなく釣りを楽しむことが出来るだけでなく、あくまで、過って各種のリール等や各種の釣り竿等を水面に落下させた場合や所定の範囲で釣り竿等が手を離れた場合にのみ各種のリール等や各種の釣り竿等に瞬間的に浮力を与えて釣り竿等の水没を確実に阻止することができるという格別な効果を奏する。【００１６】  請求項３記載の釣り竿等装着具の浮力手段が、所定の大きさに膨らむ袋体と、該袋体に気体を充填する充填機構とから構成されてなることから、竿さばき等の釣り動作やリール巻き上げ動作等に全く支障をきたすことなく釣りを楽しむことが出来るだけでなく、袋体を介して十分な浮力を各種釣り竿等に瞬間的に具備させることで、釣り竿等の水没を確実に阻止することができるという格別な効果を奏する。【００１７】  請求項４記載の釣り竿等装着具には、釣り竿本体又は該釣り竿本体に取り付けられたリール等に釣り竿等装着具を装着脱させるための着脱部位が、直接又は別体で設けられてなることから、着脱部位が釣り竿等装着具に直接設けられた場合には、かかる釣り竿等装着具を、例えば、釣り竿の把持部の端部に外嵌させて直接取り付けることで装着脱作業の簡易性と装着脱時間を大幅に短縮することが出来るという効果を有するだけでなく、又着脱部位が釣り竿等装着具に別体で設けられた場合には、例えば、釣り竿に装着されたリール等の大きさや外観形状のみならず釣り竿の把持部の外径や形状等が使用する釣り竿によって多数存在する場合でも、数種類の着脱部位を用途に合わせて準備選択し、適合する着脱部位を介し���釣り竿等装着具を使用する釣り竿に適合させて用いることが可能となり、しいては釣り竿等装着具の使用者に、使用する釣り竿やリール等を限定することなく、選択する自由を提供することが出来るという格別な効果を奏する。【００１８】  請求項５記載において、釣り竿が、前記請求項１乃至４の何れかに記載の釣り竿等装着具を備えたことから、例えば、比重が１以上の各種釣り竿において、該各種釣り竿を用いての釣りの際に、竿さばき等の釣り動作に全く支障をきたすことなく釣りを楽しむことが出来るだけでなく、過って各種釣り竿を水面に落下させた場合でも、該釣り竿の水没を阻止することが可能となり、よって今までに存在しなかった付加価値を各種釣り竿に具備させることが出来るという効果を奏する。【００１９】  請求項６記載において、リールが、前記請求項１乃至４の何れかに記載の釣り竿等装着具を備えたことから、例えば、比重が１以上の各種リールにおいて、該各種リールを用いての釣りの際に、リール巻き上げ動作等に全く支障をきたすことなく釣りを楽しむことが出来るだけでなく、過ってリールを水面に落下させた場合でも、該リールの水没を阻止することが可能となり、よって今までに存在しなかった付加価値をリールに具備させることが出来るという効果を奏する。
【図面の簡単な説明】
【００２０】
【図１】  本発明における釣り竿等装着具の一実施形態を示し、同図（イ）は使用状態図。同図（ロ）は同図（イ）の一部拡大図。
【図２】  本発明の釣り竿等装着具の一実施形態を示し、同図（イ）、（ロ）は作動状態説図。…の他の実施形態を示す一部拡大断面図。  一部断面側面図。
【図３】  本発明の釣り竿等装着具の他の実施形態を示し、同図（イ）、（ロ）は一部拡大説明図。
【図４】  本発明の釣り竿等装着具の他の実施形態を示し、同図（イ）は全体図。（ロ）は一部拡大説明図。
【発明を実施するための最良の形態】
【００２１】  以下、本発明における釣り竿等装着具及び該釣り竿装着具を備えた釣り竿の一実施形態について説明する。
図１において、１は全体を極めて強い浮力を有する浮力手段として、例えば、発泡剤又は／及び樹脂材等で全体を成形した釣り竿等装着具本体１ａを有する釣り竿等装着具を示し、該釣り竿等装着具本体１ａは、例えば、一般的に大物と言われる大型の魚や強い引張力を有する魚を対象に釣りを行う場合等において、一定以上の強度を備えた太い釣り糸２を巻き上げるスプール３を備えたリール４を装着した釣り竿５の釣り竿本体５ａの一端側の把持部（グリップ部）６に、該釣り竿等装着具１を着脱可能とすべく該把持部６に外嵌可能（矢印Ａ）な凹状部７ａを該釣り竿等装着具１の着脱部位７としつつ、全体を略円筒状に形成してなるものであり、８は把持部６に外嵌装着された釣り竿等装着具１の把持部６からの安易な脱落を防止すべく釣り竿等装着具１に設けられた面状ファスナー等の係止用締付帯を示す。【００２２】  前記の如く全体を略円筒状に形成した釣り竿等装着具本体１ａは、把持部６に外嵌着されることから、竿さばき等の釣り動作やリール巻き上げ動作等に全く支障をきたすことなく、釣りをする対象の魚の大きさ等の種類に応じての各種のリール等や各種の釣り竿等に簡単且つ確実に装着脱可能である。【００２３】  従って、一定以上の強度を備えた太い釣り糸２を巻き上げるスプール３を備えたリール４を釣り竿５に装着する際、釣り竿５自体やリール自体４の強度を一定以上保持する必要性や、巻き上げ時の手の滑り等も考慮して釣り竿５の把持部６も太くする等の必要性から、釣り竿５自体やリール４自体が大きく重いものとなり、釣り竿５自体やリール４自体の各単体の比重のみならず、リール４を備えた釣り竿５全体の比重が１以上となって浮力を全く有さない場合であっても、竿さばき等の釣り動作やリール巻き上げ動作等に全く支障をきたすことなく、釣りをする対象の魚の大きさ等の種類に応じて各種の釣り竿５等に簡単且つ確実に装着脱可能であるばかりか、釣りの際に過って各種の釣り竿５等を水面に落下させた場合であっても、各種の釣り竿５等に浮力を与えて釣り竿等の水没を確実に阻止することができるという格別な効果を奏するが、例えば、図３（イ）に示す様に、かかる釣り竿等装着具１をスプール３を介しての釣り糸２の巻きとり動作に支障のない釣り竿本体５ａ若しくはリール４のリール本体４ａ（図示せず）の所定箇所に装着してもよく、又、同図（ロ）に示す様に、釣り竿等装着具本体１ａを面状に形成するとともに、該釣り竿等装着具本体１ａを有した釣り竿等装着具１を把持部６に巻着してもよく、何れの場合であっても、リール４等や各種の釣り竿５等に浮力を与えることで釣り竿５等の水没を確実に阻止することができるという効果を有することになるが、釣り竿等装着具１の具体的な形状や材質並びに着脱部位７の具体的な形状や構造等も限定されないのは言うまでもない。【００２４】  尚、上記一実施形態では、釣り竿等装着具１の浮力手段が、極めて強い浮力を有する発泡剤又は／及び樹脂材等で全体を成形した釣り竿等装着具本体１ａを有してなる場合について説明したが、例えば、釣り竿等装着具１の浮力手段が、図２に示す様に構成されていてもよい。【００２５】  即ち、かかる釣り竿等装着具１は、釣り竿等が水没した際又は所定の範���で釣り竿等が手を離れた際に該釣り竿等に瞬間的な浮力を与える構造を有するものである。【００２６】  同図（イ）において、釣り竿等装着具本体１ａ内には、例えば、ゴム等の材質からなり、且つ所定の大きさに膨らむ（矢印Ｂ）袋体１０と、該袋体１０に各種のガス等の気体を充填する充填機構（内部に気体を噴射する小型ボンベ等を具備）１１とを有するものであり、かかる充填機構１１には、所定量の水を感知した際に前記気体を噴射すべく充填機構１１を作動させる水検出部（図示せず）が設けられ、しかも釣り竿等装着具本体１ａには、釣り竿等を水没させた際に、該水検出部へと水を案内（矢印Ｃ）するための水導入口９が設けられているものである。【００２７】  前記の如く釣り竿等装着具本体１ａ内に、所定の大きさに膨らむ袋体１０と、該袋体１０に各種のガス等の気体を充填する充填機構１１とを有した場合において、例えば、かかる充填機構１１を前記の如く水を用いることなく、例えば、ワイヤー等を用いた所定長の引紐体１３の一端側に人等の衣服に係止可能な係止体１２を備え、しかも他端側には釣り竿等装着具本体１ａに設けられた係止部１６に係止可能で、且つ所定の引張力が生じた際に該釣り竿等装着具本体１ａの係止部１６から離脱（矢印Ｄ）する着脱体１４を備えた充填機構作動具１５を介して充填機構１１を作動させる構成であってもよい。【００２８】  よって、上記前者及び後者何れの構造であっても、釣り竿等装着具１の浮力手段が、釣り竿１等が水没した際又は所定の範囲（引紐体１３の全長の範囲）で釣り竿１等が手を離れた際に該釣り竿１等に瞬間的な浮力を与える構造を有してなることから、雨や雪等の悪天候時であっても、晴天や曇り等の所謂釣り日和と同様に、竿さばき等の釣り動作やリール巻き上げ動作等に全く支障をきたすことなく釣りを楽しむことが出来るだけでなく、あくまで、過って各種のリール等や各種の釣り竿等を水面に落下させた場合や所定の範囲で釣り竿等が手を離れた場合にのみ各種のリール等や各種の釣り竿等に瞬間的に浮力を与えて釣り竿等の水没を確実に阻止することができるという格別な効果を奏する。【００２９】  更に、釣り竿等装着具１の浮力手段が、前記の如く所定の大きさに膨らむ袋体１０と、該袋体１０に気体を充填する充填機構１１とから構成されてなることから、竿さばき等の釣り動作やリール巻き上げ動作等に全く支障をきたすことなく釣りを楽しむことが出来るだけでなく、袋体１０を介して十分な浮力を各種釣り竿等に瞬間的に具備させることで、釣り竿等の水没を確実に阻止することができるという格別な効果を奏する。【００３０】  尚、上記一実施形態において、釣り竿等装着具１には、釣り竿本体５ａ又は該釣り竿本体５ａに取り付けられたリール４等に釣り竿等装着具１を装着脱させるための着脱部位７が、直接（係止用締付帯８、凹状部７ａ）設けられていたが、必ずしもこれに限定されるものではなく、例えば、図４（イ）示す様に、着脱部位７が、釣り竿等装着具本体１ａに設けられた取付部１７に係着脱可能な第１係止具１８を一端側に有すると共に、他端側に釣り竿本体５ａ又はリール４等の所定の箇所に係着脱可能な第２係止具１９を備えた、所謂別体で設けられていてもよく、よって、着脱部位７が釣り竿等装着具１に直接設けられた場合には、かかる釣り竿等装着具１を、例えば、釣り竿５の把持部６の端部に外嵌させて直接取り付けることで装着脱作業の簡易性と装着脱時間を大幅に短縮することが出来るという効果を有する。【００３１】  更に、着脱部位７が釣り竿等装着具１に別体で設けられた場合には、例えば、釣り竿５に装着されたリール４等の大きさや外観形状のみならず釣り竿５の把持部６の外径や形状等が使用する釣り竿によって多数存在する場合でも、数種類の着脱部位７を用途に合わせて準備選択し、適合する着脱部位７を介して釣り竿等装着具１を使用する釣り竿５に適合させて用いることが可能となり、しいては釣り竿等装着具１の使用者に、使用する釣り竿５やリール４等を限定することなく、選択する自由を提供することが出来るという格別な効果を奏する。【００３２】  更に、図４（ロ）に示す様に、釣り竿等装着具１を、例えば、比重が１以上の各種釣り竿５の把持部６内に形成された空洞部６ａに挿入し、且つエンドキャップ６ｂを用いて該各種釣り竿５に予め具備させて販売してもよく、この場合には、該各種釣り竿５を用いての釣りの際に、竿さばき等の釣り動作に全く支障をきたすことなく釣りを楽しむことが出来るだけでなく、過って各種釣り竿５を水面に落下させた場合でも、該釣り竿５の水没を阻止することが可能となり、よって今までに存在しなかった付加価値を各種釣り竿に具備させることが出来るという効果を奏する。（釣り竿等装着具１が袋体１０と充填機構１１を備えた場合には、エンドキャップ６ｂが離脱して把持部６の中から袋体１０が膨出することになる。【００３３】  又、上記の如く釣り竿等装着具１を釣り竿５に予め具備させて販売するに限らず、該釣り竿等装着具１を、例えば、比重が１以上の各種リール４の所定箇所に予め具備（図示せず）させて販売してもよく、この場合にも、該各種リール４を用いての釣りの際に、リール４巻き上げ動作等に全く支障をきたすことなく釣りを楽しむことが出来るだけでなく、過ってリール４を水面に落下させた場合でも、該リール４の水没を阻止することが可能となり、よって今までに存在しなかった付加価値をリール４に具備させることが出来るという効果を奏する。【００３４】  而して、要は、釣り竿等装着具１が、竿さばき等の釣り動作に支障をきたさない大きさの外観形状を有し、且つ各種の釣り竿５等に装着脱可能で、且つ該釣り竿５等が水没した際に釣り竿５等に浮力を与える浮力手段を具備していれば、該釣り竿等装着具１のみならず浮力手段の具体的な形状、大きさ、構造等も決して限定されないのは言うまでもない。
【産業上の利用可能性】
【００３５】  本発明における釣り竿等装着具は、釣りの際に、各種の釣り竿やリール等に装着脱可能で、しかも釣りの際に過って釣り竿を水面に落下させた場合であっても、瞬時に各種釣り竿に浮力を与えて釣り竿の水没を確実に阻止することができる釣り竿装着具及び該釣り竿装着具を備えた釣り竿に関するものである。
【符号の説明】
【００３６】１…釣り竿等装着具
１ａ…釣り竿等装着具本体
２…釣り糸
３…スプール
４…リール
４ａ…リール本体
５…釣り竿
５ａ…釣り竿本体
６…把持部
７…着脱部位
８…マジックテープ
【図１】
2014090714.tif 000003
【図２】
2014090714.tif 000004
【図３】
2014090714.tif 000005
【図４】
2014090714.tif 000006